(57)【要約】      （修正有）【課題】女性介護者が一人で寐たきり病人のオムツ取替えが出来る事で、介護者の腰に掛る負担を軽減するオムツ交換補助具を提供する。【解決手段】寐たきり病人が使用するベットの両側面に金属パイプを縦に取付け、Ｔ字形連結パイプで、横に回転金属パイプを連結二ヶ所に、紐に連結金具を取付け、膝に布製ベルトを当て紐を鍵フック連結し横に設置の回転パイプの一端に六角のナットを取付け、棒状ハンドルの回転で膝を引き上げ、尻部が持ち上がり、交換が楽に出来る。【選択図】図１
0003164714.tif 000002
【実用新案登録請求の範囲】
【請求項１】
寐たきり病人のオムツ交換を女性介護者が、一人で楽に尻を持ち上ける様にベットの両側面部分の、尻が当る部分中央より、左右３センチ程度間隔を開け縦に立てる金属パイプを取付け、移動出来る金具を取付け、両側面に縦の金属パイプを取付け、上端にＴ字形パイプに連結、回転する横水平の金属パイプを連結し、回転する金属パイプの中央で１０センチ程度、間隔を開けた二ヶ所に紐を取付ける金具を設置、紐を連結、水平に取付けた回転する、金属パイプにより、紐を巻取り膝を引き上げる、両膝に二枚の膝に当てる、布ベルト両端の金属部分に穴を開け、紐を連結、両膝が上に引き上げ、尻が持ち上がる様に、横水平に連結した金属パイプの、一端にネシを切り、六角形のナットを取付け棒状形回転ハンドルの先端に、六角形の突起部分に作り、ハンドルの下端に、手動回転する、ハンドルを取付、回転して、両膝が釣り上がり、楽に尻が上に持ち上げて、女性介護者が一人でも、オムツの交換が出来る事を特徴とする。
【考案の詳細な説明】
【技術分野】
【０００１】  本考案は、女性介護者が一人で寐たきり病人の、オムツ取替えが出来る事で介護者の腰に掛る負担を、軽減するために考えた、オムツ交換補助具。
【背景技術】
【０００２】  寐たきり病人の、オムツ交換を女性介護者が行なう場合に、前屈みの姿勢で病人の腰を持ち上げ、オムツを敷き込む為、腰に負担が掛り腰を痛める場合が多い、この様な労力を、軽減出来る様に考えた、オムツ交換補助具。
【考案の開示】
【考案が解決しようとする課題】
【０００３】  従来は、寐たきり病人の、オムツ交換は病人の腰を持ち上げ、オムツを交換するのに、女性介護者一人では腰を痛める事が多い、この様な課題を解決するために考えた、オムツ交換補助具。
【課題を解決するための手段】
【０００４】本考案は、寐たきり病人の、オムツ交換を楽にするため、ベットの両側側面に縦横の金属パイプを取付け、病人の尻の当る部分に取付る、支持金具に間隔を開けて、金具を取付け移動出来る、両側面の縦に取付た、金属パイプにＴ字形パイプを連結し、横水平に回転する、パイプに連結した金属パイプに取付けたパイプの二ヶ所に紐を連結、両膝部分に布製ベルトの端の金属部分に穴を開け紐を連結、金属部分に設置の回転パイプ一端に、ネシを切り、ナットを取付け棒状形ハンドルの先端に六角形の穴を開けた、ハンドルを回転し紐を巻き取り尻を持ち上げ、オムツ交換が楽に出来る、介護補助具。
【考案の効果】
【０００５】上述の様に、オムツの交換は、女性介護者が一人行なう場合、腰に負担が掛り腰痛に成る場合が多い、オムツ交換補助具を使用する事で、尻を持ち上げられ下腹部、尻の下部等を、拭き取り清潔な状態にし、オムツの交換を楽に行ない介護者の人数不足を、補足する事が出来る、オムツ交換補助具。
【考案を実施するための最良の形態】
【０００６】  寐たきり病人の、ベットの両側面に縦に取付ける、金属パイプを、両側面に取付ける支持金具を、尻の当る部分に、３センチ程間隔開け、三ヶ所に金具で取付け、移動設置するため、ボルト、蝶ネジで固定、両側面の縦に取付ける、金属パイプを移動用金具にはめ込み連結し、必要な高さの横水平に回転出来る金属パイプを連結するため、両端にＴ字形金属パイプで連結、横水平パイプの二ヶ所に、両膝を引上げるため、紐を巻き取れる金具を、取り付け連結、膝に当てる布製ベルトの両端の金属部分に穴を開け、紐を連結し、鍵フックで連結横水平に設置した回転パイプの一端に、ネジを切り六角形の、ナットを取付け取り外し可能な棒状形ハンドルの先に、六角の突起を付け回転させる事で膝を引き上げて尻を持ち上げ、オムツの交換が楽に出来、女性一人でオムツ交換が楽に出来る事で、介護人の不足を解消出来る、オムツ交換用補助具。
【実施例】
【０００７】  以下、貼付図面に従って実施例を説明します、１は病人が使用するベットの両側面の尻の当る部分に、２の、取付け金具をボルト、蝶ネシ等で取付、３のベット両側面に縦に取付ける金属パイプに接続、４の、Ｔ字形パイプに、５の横水平に設置した、回転する金属パイプの、中央二ヶ所に１０センチ程間隔を開けた金具に、紐、６を固定、膝に当てる布ベルトの両端に接続の金属部分に開けた穴に、紐、７を連結し、８の、鍵フックで連結、横水平に設置した回転パイプの一端に取付の、９にネジを切り六角形のナットを取付、棒状形回転、ハンドルの六角形の突起、１０を回転させ尻を持ち上げ、オムツ交換補助具。
【図面の簡単な説明】
【０００８】
【図１】オムツ交換補助具の側面斜視図、
【図２】オムツ交換補助具の部品図、
【符号の説明】
【０００９】１      ベットの両側面に設置する金具とパイプを差し込む金具、
２      ベットの両側面金具に縦に差し込み固定する蝶ネジ、
３      両側面の縦の金属パイプにＴ字形パイプを連結する部分、
４      横水平にＴ字形パイプに差し込む回転する金属パイプ、
５      水平に連結パイプ中央に間隔を開け取付ける金具、
６      紐、７を連結し巻き取る金具と鍵フック、
７      紐７に連結し膝に当てる布ベルト、
８      布ベルトの両端の金属部分に開けた穴と鍵フック、
９      横水平に設置した回転パイプの一端に取付ける六角形のナット、
１０    棒状形回転ハンドル先端の六角形の突起、
【図１】
0003164714.tif 000003
【図２】
0003164714.tif 000004
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
寐たきり病人のベットの形枠の両側面部分に金属パイプを縦に設置するため取付け金具を、ベットの形枠部分に設置、両側面に縦の金属パイプを差し込み蝶ネジ等で固定、上端にＴ字形パイプを連結、回転する横水平の金属パイプを差し込み、金属パイプの中央に間隔を開け、二ヶ所のフックに紐を取付けて、水平に設置した回転する金属パイプにより、紐を巻取り膝を、引き上げるため両膝に二枚の膝に当てる布ベルト両端の金属部分に穴を開け紐を連結、両膝が上に引き上げ、尻が持ち上がる様に、横の回転する金属パイプが中を貫通するＴ字形パイプの一端に六角形の突起部分を取付け、棒状回転ハンドルの先端に六角形の凹み部分を作り、棒状ハンドルを手動回転し両膝を引き上げ尻部分に隙間が出来、着脱が出来る、オムツ交換が楽に出来る、オムツ交換用補助具。
【手続補正書】
【提出日】平成22年9月13日(2010.9.13)
【手続補正１】
【補正対象書類名】明細書
【補正対象項目名】全文
【補正方法】変更
【補正の内容】
【考案の詳細な説明】
【技術分野】
【０００１】  本考案は、寐たきり病人の、下腹部、尻等を清潔にし、オムツ交換が出来る事で介護者の腰に掛る負担を軽減するために考えた、オムツ交換用補助具。
【背景技術】
【０００２】  寐たきり病人の、オムツ交換を女性介護者が行なう場合に、前屈みの姿勢で病人の腰を持ち上げ、オムツを敷き込む為、腰に負担が掛り腰を痛める場合が多い、この様な労力を、軽減出来る様に考えた、オムツ交換用補助具。
【考案の開示】
【考案が解決しようとする課題】
【０００３】  従来は、寐たきり病人の、オムツ交換は病人の腰を持ち上げ、下腹部、尻を清潔に拭き取り、オムツを交換する場合、尻を持ち上げ時間が多い、この様な課題を、解決するために考えた、オムツ交換用補助具に関する。
【課題を解決するための手段】
【０００４】  本考案は、病人の、オムツ交換を楽にするため、ベットの形枠の両側側面に縦横の金属パイプを取付け、尻の当る部分に取付る支持金具に、間隔を開けて金具を取付け移動出来る、両側面の縦に取付た、金属パイプにＴ字形パイプを連結し、横水平に回転する、金属パイプを中に差し込み、中央、二ヶ所に紐を連結、両膝部分に布製ベルトの端の金属部分に穴を開け紐を連結、金属部分に横に設置の回転パイプ一端に、六角形の突起部分を取付け、棒状形ハンドルの先端に六角形の凹みを付けた、ハンドルを回転し、紐を巻き取り尻を持ち上げ下腹部、尻等を、温水タオルで拭き取り、オムツ交換出来る、交換用補助具。
【考案の効果】
【０００５】上述の様に、病人の下腹部、尻等を温水タオル等で拭き取り、オムツの交換は尻を持ち上げる時間が掛り、介護者が一人では難しい、本考案を使用する事で楽に尻を持ち上げられ、オムツの交換が出来、介護者の人不足を解決出来る。
【考案を実施するための最良の形態】
【０００６】  寐たきり病人の、ベットの両側面に縦に取付ける、金属パイプを、両側面に取付ける支持金具を、尻の当る部分に、３センチ程間隔開け、三ヶ所に金具で取付け、移動設置するため、蝶ネジ等で固定し、両側面の縦に取付ける、金属パイプを移動用金具にはめ込み連結し、必要な高さの横水平に回転出来る金属パイプを連結するため、両端にＴ字形金属パイプに、横水平バイプを差し込み中央二ヶ所に、両膝を引上げるため、紐を巻き取れる金具を、取り付け連結、膝に当てる布製ベルトの両端の金属部分に穴を開け、紐を連結し、鍵フックで連結横水平に設置した回転パイプの一端に、六角形の凹み部分を取付け、取り外し可能な棒状形ハンドルの先に、六角の突起部分を付け回転させる事で膝を引き上げて尻を持ち上げ、オムツの交換が楽に出来、女性一人でオムツ交換が楽に出来る事で、介護人の不足を解消出来る、オムツ交換用補助具。
【実施例】
【０００７】  以下、貼付図面に従って実施例を説明します、１は病人が使用するベットの形枠の両側面の尻の当る部分に、２の、取付け金具をボルト、蝶ネシ等で取付３の、ベット両側面に縦に取付ける金属パイプを接続し、４の、Ｔ字形パイプ５の、横水平に設置した、回転する金属パイプの、中央二ヶ所に１０センチ程間隔を開けた金具に、紐、６を固定、膝に当てる布ベルトの両端に接続の金属部分に開けた穴に、紐、７を連結し、８の、鍵フックで連結、横水平に設置の回転パイプの一端に取付した、９に、六角形の凹み部分を取付て、棒状形回転ハンドルの先端に六角形の突起部分、１０を回転させ、尻を持ち上げ、下腹部尻等を温水タオル等で清潔にする、オムツ交換用補助具。
【図面の簡単な説明】
【０００８】
【図１】  オムツ交換補助具の側面斜視図、
【図２】  オムツ交換補助具の部品図、
【符号の説明】
【０００９】１      ベットの形枠両側面に設置する金具とバイプを差し込む金具、
２      ベットの形枠両側面金具に縦に差し込み固定する蝶ネジ、
３      両側面の縦の金属パイプにＴ字形パイプを連結する部分、
４      横水平にＴ字形パイプに差し込む回転する金属パイプ、
５      水平に連結パイプ中央に間隔を開け紐を取付ける金具、
６      紐、７を連結し巻き取る金具と鍵フック、
７      紐７に連結し膝に当てる布ベルト、
８      布ベルトの両端の金属部分に開けた穴と鍵フック、
９      横水平に設置した回転パイプの一端に取付ける六角形凹み、
１０    棒状形回転ハンドル先端の六角形の突起、